(57)【要約】【課題】本発明は、無接点充電器に関するもので、携帯機器のＮＦＣアンテナ位置に関わらず、携帯機器および無接点充電器の間のＮＦＣ通信を簡単に行うことを目的とするものである。【解決手段】無接点充電器は、本体ケース１の内部で、設置面３の背面側上方には、ＮＦＣ通信部２１を配置しているので、携帯電話２を保持部４に投入する時には、無接点充電器のＮＦＣ通信部２１と、携帯電話２のＮＦＣ通信部２２が必ず近接することとなり、その結果として携帯電話２と無接点充電器の近距離通信が確実に行えることとなる。【選択図】図５
2015181321.tif 000002
【特許請求の範囲】
【請求項１】
携帯機器の投入口を有する本体ケースと、この本体ケースの内部で、前記携帯機器と対向した状態で使用する充電コイルと、前記投入口から投入された前記携帯機器を前記充電コイルと対向する位置に設置するスライド機構を有し、前記スライド機構のスライド経路にＮＦＣ（Ｎｅａｒ  Ｆｉｅｌｄ  Ｃｏｍｍｕｎｉｃａｔｉｏｎ）通信部を配置した無接点充電器。
【請求項２】
前記投入口近傍にＮＦＣ通信部を配置した請求項１に記載の無接点充電器。
【請求項３】
前記スライド機構は、前記本体ケースに設けた携帯機器の設置面と、前記携帯機器の一部を露出させた状態で、この携帯機器を保持する保持部と、前記投入口を前記保持部に設けた構成とした請求項１に記載の無接点充電器。
【請求項４】
前面側に携帯機器の設置面が設けられた立設状態の本体ケースと、この本体ケースの内部で、前記設置面の背面側に設けた充電コイルと、前記本体ケースの設置面の下部前面側を覆うとともに、前記携帯機器の上部を露出させた状態で、この携帯機器の下部を保持する保持部とを備え、前記保持部は、この保持部の上面に設けた携帯機器の投入口と、この保持部内で、携帯電話を前記設置面側に付勢する付勢手段とを有し、前記本体ケースの内部で、前記設置面の背面側上方に、ＮＦＣ（Ｎｅａｒ  Ｆｉｅｌｄ  Ｃｏｍｍｕｎｉｃａｔｉｏｎ）通信部を配置した無接点充電器。
【請求項５】
請求項１または４に記載の無接点充電器を、立設状態、またはその上部が前方、下部が後方となる傾斜状態で設置した自動車。
【発明の詳細な説明】
【技術分野】
【０００１】
本発明は、無接点充電器と、それを用いた自動車に関するものである。
【背景技術】
【０００２】
携帯機器の一例である携帯電話は、機能が向上するにしたがって、その電力消費量が極めて大きくなり、内蔵する電池では、わずか１日しか使用できないものもある。
【０００３】
そこで、ケース内面部分に配置された充電コイルと、携帯機器の充電コイルを対向させることで、磁束による電力供給を行う無接点充電器が提案されている。
【０００４】
また、携帯機器が充電可能な対象かを近距離通信、いわゆるＮＦＣ（Ｎｅａｒ  Ｆｉｅｌｄ  Ｃｏｍｍｕｎｉｃａｔｉｏｎ）を用いて認証するようにしている（例えば、下記特許文献１参照）。
【先行技術文献】
【特許文献】
【０００５】
【特許文献１】特開２０１２−６５４５５号公報
【発明の概要】
【発明が解決しようとする課題】
【０００６】
上記従来例においては、携帯機器および無接点充電器の間でＮＦＣを用いた通信をするには、両方のＮＦＣ通信用のアンテナ位置をユーザが確認し、お互いのアンテナが対向するように近接させなければならず、使い勝手の良くないものとなっていた。
【０００７】
すなわち、無接点充電器は、端子に接続する手間を必要とせず、充電台に置くだけで充電可能であるところが特徴である。しかしながら、従来例においては、ユーザは、ＮＦＣ通信のためにアンテナ位置の確認、さらには、お互いのアンテナを対向させる動作をしなければならず、無接点充電器の利点を大幅に減退させるものであり、大きな問題であった。
【０００８】
そこで、本発明は、携帯機器のＮＦＣアンテナ位置に関わらず、非常に簡単に携帯機器および無接点充電器の間のＮＦＣ通信を可能とし、使い勝手をよくすることを目的とする。
【課題を解決するための手段】
【０００９】
そして、この目的を達成するために本開示の第１局面は、携帯機器の投入口を有する本体ケースと、この本体ケースの内部で、携帯機器と対向した状態で使用する充電コイルと、投入口から投入された携帯機器を充電コイルと対向する位置に設置するスライド機構を有し、スライド機構のスライド経路にＮＦＣ（Ｎｅａｒ  Ｆｉｅｌｄ  Ｃｏｍｍｕｎｉｃａｔｉｏｎ）通信部を配置し、これにより所期の目的を達成するものである。
【００１０】
また、本開示の第２局面は、前面側に携帯機器の設置面が設けられた立設状態の本体ケースと、この本体ケースの内部で、前記設置面の背面側に設けた充電コイルと、前記本体ケースの設置面の下部前面側を覆うとともに、前記携帯機器の上部を露出させた状態で、この携帯機器の下部を保持する保持部とを備え、前記保持部は、この保持部の上面に設けた携帯機器の投入口と、この保持部内で、携帯電話を前記設置面側に付勢する付勢手段とを有し、前記本体ケースの内部で、前記設置面の背面側上方に、ＮＦＣ（Ｎｅａｒ  Ｆｉｅｌｄ  Ｃｏｍｍｕｎｉｃａｔｉｏｎ）通信部を配置したものであるので、携帯機器の置忘れを軽減することが出来る。
【００１１】
すなわち、本開示の第２局面は、携帯機器の上部を露出させた状態で、この携帯機器の下部を保持部により保持するようにしているので、携帯機器を充電中であったことが理解でき、その結果として、携帯機器の置忘れが軽減されることとなる。
【００１２】
また、保持部の投入口に対して、上方から携帯機器の下部を投入することとなるのであるが、この投入操作時には、携帯機器の下部から上部が、無接点充電器を構成する本体ケースの設置面上方部分を通過することになる。
【００１３】
この状況において、本開示の第２局面は、前記本体ケースの内部で、前記設置面の背面側上方に、ＮＦＣ通信部を配置しているので、携帯機器のどの部分に、携帯機器自身のＮＦＣ通信部が配置されていても、携帯機器の充電のためにこの携帯機器を保持部に投入する時、またはこの保持部から抜き出す時には、無接点充電器のＮＦＣ通信部と、携帯機器のＮＦＣ通信部が必ず近接することとなり、その結果として携帯機器と無接点充電器の近距離通信が確実に行えることとなる。
【発明の効果】
【００１４】
以上のように本開示は、携帯機器の投入口を有する本体ケースと、この本体ケースの内部で、携帯機器と対向した状態で使用する充電コイルと、投入口から投入された携帯機器を充電コイルと対向する位置に設置するスライド機構を有し、スライド機構のスライド経路にＮＦＣ（Ｎｅａｒ  Ｆｉｅｌｄ  Ｃｏｍｍｕｎｉｃａｔｉｏｎ）通信部を配置し、これにより所期の目的を達成するものである。
【００１５】
すなわち、保持部の投入口に対して、携帯機器を投入することとなるのであるが、この投入時には、携帯機器の全面が、スライド機構のスライド経路に配置したＮＦＣ通信部を通過することになる。
【００１６】
したがって、携帯機器のどの部分に、携帯機器自身のＮＦＣ通信部が配置されていても、携帯機器の充電のためにこの携帯機器を投入口に投入する時、またはこの投入口から抜き出す時には、無接点充電器のＮＦＣ通信部と、携帯機器のＮＦＣ通信部が必ず近接することとなり、携帯機器と無接点充電器の近距離通信が確実に行えることとなる。
【００１７】
その結果として、端子に接続する手間を必要とせず、充電台に置くだけで充電可能であるとの無接点充電器の利点を減退させることなく、ＮＦＣ通信をすることが可能となるのである。
【図面の簡単な説明】
【００１８】
【図１】本発明の一実施形態の無接点充電器の斜視図
【図２】同一部切欠斜視図
【図３】同断面図
【図４】同一部切欠斜視図
【図５】同断面図
【図６】同一部切欠斜視図
【図７】同断面図
【図８】同断面図
【図９】同断面図
【図１０】同断面図
【図１１】同一部切欠斜視図
【図１２】同断面図
【図１３】同斜視図
【図１４】同側面図
【図１５】同断面図
【図１６】同断面図
【図１７】同断面図
【図１８】同断面図
【図１９】同断面図
【図２０】同断面図
【図２１】同断面図
【図２２】同断面図
【図２３】同無接点充電器を搭載した自動車の斜視図
【図２４】同無接点充電器の制御ブロック図
【発明を実施するための形態】
【００１９】
以下、本発明の一実施形態を、添付図面を用いて説明する。
【００２０】
（実施の形態１）
図１〜図３において、立設状態の本体ケース１は、縦長長方形状で、その前面側には、携帯機器の一例として用いた図４の携帯電話２を設置する設置面３が設けられている。
【００２１】
また、本体ケース１の内部で、前記設置面３の背面側には、図２４に示す充電コイル１４が設けられている。
【００２２】
また、図１〜図３に示すごとく、前記本体ケース１の設置面３の下部前面側を覆うごとく保持部４が設けられている。
【００２３】
前記保持部４は、水平断面がコの字状（四角形の一辺が無い状態）となっており、この保持部４の上面には、携帯電話２の下部を投入するための長方形状の投入口５が形成されている。
【００２４】
つまり、水平断面がコの字状の保持部４は、図１〜図３のごとく、前面６、側面７、底面８を有し、上面が投入口５となっている。
【００２５】
以上のように、設置面３と保持部４と投入口５でスライド機構３２が構成されている。
【００２６】
また、保持部４内には、携帯電話２を、前記設置面３側に付勢する付勢手段９が設けられている。
【００２７】
この付勢手段９は、図２、図３に示すごとく、上部が前記本体ケース１の設置面３から所定間隔離れた位置で、側面７内側に軸支され、下部が前記本体ケース１の設置面３に近接する方向に傾斜設置された付勢板１０と、この付勢板１０の下部を、前記本体ケース１の設置面３側に付勢するバネ１１によって構成されている。
【００２８】
前記バネ１１の上端は、付勢板１０上部両側において、付勢板１０の軸支部と同じ部分、またはそれよりも前記本体ケース１の設置面３側に連結され、またバネ１１の下端は付勢板１０下部両側に連結されている。
【００２９】
このため、付勢板１０の下部は図３において、反時計方向、つまり前記本体ケース１の設置面３側に付勢された状態となっている。
【００３０】
また、保持部４の側面７内側には、付勢板１０の下部が図３以上に反時計方向、つまり前記本体ケース１の設置面３側に回動しないように規制部（図示せず）を設けている。
【００３１】
この状態は、図３のごとく、付勢板１０の上部における本体ケース１の設置面３との距離に比べて、付勢板１０の下部における本体ケース１の設置面３との距離が小さくなる状態となっている。
【００３２】
さらに、付勢板１０の下部両側には、図２のごとく、回転付勢体１２を設けている。
【００３３】
この回転付勢体１２は、円筒状のもので、中心部には、回転軸が貫通している。
【００３４】
また、このように両側に設けた回転付勢体１２は、付勢板１０の下部両側おいて、それぞれの外方が、内方よりも下方になるように傾斜状態で設置されている。
【００３５】
以上の構成において、携帯電話２の充電を行う時には、図４、図５のごとく、本体ケース１の保持部４上方の投入口５から、携帯電話２の下方を投入する。
【００３６】
すると、先ずは、図６、図７に示すように、携帯電話２の下方は、投入口５内に進入するが、このときにはまだ携帯電話２の下部は付勢板１０の上面には触れていない。
【００３７】
つまり、保持部４上方の投入口５は、携帯電話２の厚みよりも十分に大きな開口となっており、しかも付勢板１０の上部と本体ケース１の設置面３との距離も携帯電話２の厚みよりも十分に大きくなっているので、携帯電話２の下方を投入口５から投入したときには、付勢板１０の上面には触れることはないのである。
【００３８】
その後、携帯電話２をさらに下げると、図８のごとく、携帯電話２の下部が、付勢板１０の上面に触れることになる。
【００３９】
この状態から、携帯電話２をさらに下げると、図８のごとく、携帯電話２の下部が、付勢板１０の上面に触れ、携帯電話２をさらに下げると、図９、図１０のごとく、携帯電話２の下部が、付勢板１０の下部を、バネ１１の付勢力に抗し、時計方向に回動させる。
【００４０】
なお、このときに、携帯電話２の下部が接する付勢板１０の下部とは、上述した回転付勢体１２であり、これを回転させながら携帯電話２は下降する。
【００４１】
また、携帯電話２の下部に接する回転付勢体１２は、携帯電話２の両側方になるので、携帯電話２の表示部１３に、傷をつけることも無い。
【００４２】
図９、図１０のごとく、携帯電話２の下部が付勢板１０で本体ケース１の設置面３に付勢されると、携帯電話２も立設状態となるので、以降は、この携帯電話２の上部を下方に押し込み、図１１、図１２のごとく、底面８に押し当てる。
【００４３】
この状態は、図１３〜図１５の状態であり、携帯電話２は付勢板１０によって本体ケース１の設置面３に当接した状態となり、この状態で携帯電話２に対する充電が行われる。
【００４４】
すなわち、図２４に示す携帯電話２の充電コイル１５と、本体ケース１内の充電コイル１４が対向し、磁束を通過させることで、携帯電話２内の電池１６の充電を行うようになっているのである。
【００４５】
以上説明した携帯電話２が投入口５から投入され、図１３〜図１５の状態になるまでをスライド機構３２のスライド経路３３である。
【００４６】
次に、この充電後、携帯電話２を保持部４から取り出すときの手順を説明する。
【００４７】
図１６のごとく、携帯電話２の上部を、手前（本体ケース１の設置面３とは反対側）に傾け、続いて図１７、図１８、図１９のごとく、携帯電話２を引き出していく。
【００４８】
このとき、図１６からも理解されるように、携帯電話２の上部を、手前（本体ケース１の設置面３とは反対側）に傾けるときには、携帯電話２の下部に接する回転付勢体１２部分が支点となるので、この動作を容易に行うことが出来る。
【００４９】
また、引き出すときにも、携帯電話２の下部に接しているのは回転付勢体１２であるので、回転により、携帯電話２をスムーズに引き出すことが出来る。
【００５０】
続いて、図２０の状態になると、携帯電話２下部は、付勢板１０の上面に乗り上げた状態となり、このようになると、付勢板１０がバネ１１で反時計方向に付勢される動作で、押し上げられる状態にもなり、その結果として図２１、図２２のごとく、スムーズな取出しが行えるようになる。
【００５１】
また、図１９から図２０に至った状態では、携帯電話２下部が、付勢板１０の上面で押し上げられる状態になることから、使用者にクリック感触を与えるものともなる。
【００５２】
以上の構成の無接点充電器は、図２３のごとく、自動車の車内１７において、ハンドル１８の側方で、運転席（図示せず）の左前方に配置される。
【００５３】
その際、無接点充電器は、設置面３、保持部４が運転者側となるように、本体ケース１を立設状態として、車内１７に設置される。
【００５４】
また、無接点充電器の使い勝手を向上するためには、本体ケース１の上部が自動車の前方、下部が後方となる傾斜状態、つまり上方が自動車の前方に傾斜した状態で設置される。
【００５５】
したがって、上述した携帯電話２の投入口５への投入、および取出しが運転席からでも、助手席からでも簡単に行うことが出来る。
【００５６】
このように自動車の車内１７に設置される無接点充電器の本体ケース１内には、図２４に示すように上記充電コイル１４だけでなく、この充電コイル１４に駆動回路１９を介して接続された制御部２０、この制御部２０に接続されたＮＦＣ通信部２１が配置されている。
【００５７】
また、携帯電話２内にも、このＮＦＣ通信部２１と近距離通信が行えるＮＦＣ通信部２２が設けられている。
【００５８】
なお、携帯電話２のＮＦＣ通信部２２は制御部２３に接続され、この制御部２３には、よく知られているように、前記充電コイル１５、電池１６、ディスプレイ２４、操作部２５、メモリ２６等が接続されている。
【００５９】
また、無接点充電器の制御部２０には、ＥＣＵと言われる車両制御部２７を介して図２３に示す車載機器２８の制御部２９が接続されている。
【００６０】
車載機器２８は、よく知られている音楽再生機能、ナビゲーション機能を有するもので、ディスプレイ３０も備えている。
【００６１】
なお、図２４に示す車両電源３１は、各部へ電源を供給する。
【００６２】
さて、本実施形態においては、図２４に示したＮＦＣ通信部２１を図５に示すごとく、前記本体ケース１の内部で、前記設置面３の背面側上方に配置している。
【００６３】
このため、携帯電話２のどの部分に、携帯電話２自身のＮＦＣ通信部２２が配置されていても、携帯電話２の充電のためにこの携帯電話２を図５〜図１０にしめすごとく、保持部４に投入する時、または図１６〜図２１のごとく、この保持部４から抜き出す時には、無接点充電器のＮＦＣ通信部２１と、携帯電話２のＮＦＣ通信部２２が必ず近接（１０センチ以内）することとなり、その結果として携帯電話２と無接点充電器の近距離通信が確実に行えることとなる。
【００６４】
このため、例えば携帯電話２のメモリ２６が保有する情報を、車両制御部２７を介して車載機器２８の制御部２９に伝達することが出来る。
【００６５】
携帯電話２から車載機器２８に伝達する情報とはいろいろなものが有るが、例えば、携帯電話２に入力していた本日のスケジュールを、車載機器２８のディスプレイ３０に表示すれば、本日の効果的な行動が行えるものとなる。
【００６６】
つまり、携帯電話２を無接点充電器に充電のために装着すれば、その日のスケジュールが車載機器２８のディスプレイ３０に表示されるので、スケジュールを忘れたり、無駄な行動を起こしたりするのを回避することが出来、その結果として、その日の効果的な行動が行えるのである。
【００６７】
以上のように、携帯電話２の投入口５を有する本体ケース１と、この本体ケース１の内部で、携帯電話２と対向した状態で使用する充電コイル１４と、投入口５から投入された携帯電話２を充電コイル１４と対向する位置に設置するスライド機構３２を有し、スライド機構３２のスライド経路３３にＮＦＣ通信部２１を配置し、これにより所期の目的を達成するものである。
【００６８】
すなわち、スライド機構３２を構成する保持部４の投入口５に対して、携帯電話２を投入することとなるのであるが、この投入時には、携帯電話２の全面が、スライド機構３２のスライド経路３３に配置したＮＦＣ通信部２１を通過することになる。
【００６９】
この状況において、携帯電話２のどの部分に、携帯電話２のＮＦＣ通信部２２が配置されていても、携帯電話２の充電のためにこの携帯電話２を投入口に投入する時、またはこの投入口から抜き出す時には、無接点充電器のＮＦＣ通信部２１と、携帯電話２のＮＦＣ通信部２２が必ず近接することとなり、その結果として携帯電話２と無接点充電器の近距離通信が確実に行えることとなる。
【００７０】
その結果として、端子に接続する手間を必要とせず、充電台に置くだけで充電可能であるとの無接点充電器の利点を減退させることなく、ＮＦＣ通信をすることが可能となるのである。
【００７１】
さらに、以上のごとく、本実施形態の無接点充電器は、携帯電話２の上部を露出させた状態で、この携帯電話２の下部を保持部４により保持するようにしているので、携帯電話２を充電中であったことが理解でき、その結果として、携帯電話２の置忘れが軽減されることとなる。
【００７２】
また、以上の構成とすれば、保持部４の投入口に対して、上方から携帯電話２の下部を投入することとなるのであるが、この投入操作時には、携帯電話２の下部から上部が、無接点充電器を構成する本体ケース１の設置面上方部分を通過することになる。
【００７３】
この状況において、前記本体ケース１の内部で、設置面３の背面側上方には、ＮＦＣ通信部２１を配置しているので、携帯電話２のどの部分に、携帯電話２自身のＮＦＣ通信部２２が配置されていても、携帯電話２の充電のために、この携帯電話２を保持部４に投入する時、またはこの保持部４から抜き出す時には、無接点充電器のＮＦＣ通信部２１と、携帯電話２のＮＦＣ通信部２２が必ず近接することとなり、その結果として携帯電話２と無接点充電器の近距離通信が確実に行えることとなる。
【産業上の利用可能性】
【００７４】
以上のように本発明は、保持部の投入口に対して、上方から携帯機器の下部を投入することとなるのであるが、この投入操作時には、携帯機器の下部から上部が、無接点充電器を構成する本体ケースの設置面上方部分を通過することになる。
【００７５】
この状況において、本発明では、前記本体ケースの内部で、前記設置面の背面側上方に、ＮＦＣ通信部を配置しているので、携帯機器のどの部分に、携帯機器自身のＮＦＣ通信部が配置されていても、携帯機器の充電のためにこの携帯機器を保持部に投入する時、またはこの保持部から抜き出す時には、無接点充電器のＮＦＣ通信部と、携帯機器のＮＦＣ通信部が必ず近接することとなり、その結果として携帯機器と無接点充電器の近距離通信が確実に行えることとなる。
【００７６】
したがって、無接点充電器としての活用が期待されるものとなる。
【符号の説明】
【００７７】
１  本体ケース
２  携帯電話
３  設置面
４  保持部
５  投入口
６  前面
７  側面
８  底面
９  付勢手段
１０  付勢板
１１  バネ
１２  回転付勢体
１３  表示部
１４  充電コイル
１５  充電コイル
１６  電池
１７  車内
１８  ハンドル
１９  駆動回路
２０  制御部
２１  ＮＦＣ通信部
２２  ＮＦＣ通信部
２３  制御部
２４  ディスプレイ
２５  操作部
２６  メモリ
２７  車両制御部
２８  車載機器
２９  制御部
３０  ディスプレイ
３１  車両電源
３２  スライド機構
３３  スライド経路
【図１】
2015181321.tif 000003
【図２】
2015181321.tif 000004
【図３】
2015181321.tif 000005
【図４】
2015181321.tif 000006
【図５】
2015181321.tif 000007
【図６】
2015181321.tif 000008
【図７】
2015181321.tif 000009
【図８】
2015181321.tif 000010
【図９】
2015181321.tif 000011
【図１０】
2015181321.tif 000012
【図１１】
2015181321.tif 000013
【図１２】
2015181321.tif 000014
【図１３】
2015181321.tif 000015
【図１４】
2015181321.tif 000016
【図１５】
2015181321.tif 000017
【図１６】
2015181321.tif 000018
【図１７】
2015181321.tif 000019
【図１８】
2015181321.tif 000020
【図１９】
2015181321.tif 000021
【図２０】
2015181321.tif 000022
【図２１】
2015181321.tif 000023
【図２２】
2015181321.tif 000024
【図２３】
2015181321.tif 000025
【図２４】
2015181321.tif 000026